【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際して隣り合うレンズ群の間隔が変化するように各レンズ群が移動するズームレンズにおいて、
前記第１レンズ群は、物体側より像側へ順に、負レンズ、正レンズより構成され、広角端から望遠端へのズーミングにおける前記第１レンズ群の移動量をｍ１、前記第１レンズ群の焦点距離をｆ１、広角端における全系の焦点距離をｆｗとするとき、
４．２＜ｍ１／ｆｗ＜７．０
５．０＜ｆ１／ｆｗ＜１３．０
なる条件を満足することを特徴とするズームレンズ。
【請求項２】
望遠端における全系の焦点距離をｆｔ、前記第４レンズ群の焦点距離をｆ４とするとき、
−０．５＜ｆ４／ｆｔ＜−０．２
なる条件を満足することを特徴とする請求項１のズームレンズ。
【請求項３】
前記第４レンズ群は、物体側から像側へ順に、正の屈折力の第４１レンズ、負の屈折力の第４２レンズより構成され、前記第４レンズ群と前記第４１レンズの焦点距離を各々ｆ４、ｆ４１とするとき、
−２．５＜ｆ４１／ｆ４＜−０．４
なる条件を満足することを特徴とする請求項１又は２のズームレンズ。
【請求項４】
前記第２レンズ群は、物体側より像側へ順に、負レンズ、負レンズ、正レンズから構成されることを特徴とする請求項１乃至３のいずれか１項のズームレンズ。
【請求項５】
前記第３レンズ群は、物体側より像側へ順に、正レンズ、正レンズ、負レンズ、正レンズから構成されることを特徴とする請求項１乃至４のいずれか１項のズームレンズ。
【請求項６】
前記第５レンズ群は１つの正レンズから構成されることを特徴とする請求項１乃至５のいずれか１項に記載のズームレンズ。
【請求項７】
前記第２レンズ群と前記第３レンズ群の間に、ズーミングに際して各レンズ群とは異なる軌跡で移動する開口絞りを有することを特徴とする請求項１乃至６のいずれか１項に記載のズームレンズ。
【請求項８】
広角端と望遠端における前記第３レンズ群の横倍率を各々β３ｗ、β３ｔとするとき、
１．６＜β３ｔ／β３ｗ＜３．６
なる条件を満足することを特徴とする請求項１乃至７のいずれか１項のズームレンズ。
【請求項９】
無限遠物体から近距離物体へのフォーカシングに際して、前記第５レンズ群が物体側に移動することを特徴とする請求項１乃至８のいずれか１項のズームレンズ。
【請求項１０】
請求項１乃至９のいずれか１項のズームレンズと、該ズームレンズによって形成される像を受光する撮像素子を有することを特徴とする撮像装置。
【手続補正２】
【補正対象書類名】明細書
【補正対象項目名】００１０
【補正方法】変更
【補正の内容】
【００１０】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際して隣り合うレンズ群の間隔が変化するように各レンズ群が移動するズームレンズにおいて、
前記第１レンズ群は、物体側より像側へ順に、負レンズ、正レンズより構成され、広角端から望遠端へのズーミングにおける前記第１レンズ群の移動量をｍ１、前記第１レンズ群の焦点距離をｆ１、広角端における全系の焦点距離をｆｗとするとき、
４．２＜ｍ１／ｆｗ＜７．０
５．０＜ｆ１／ｆｗ＜１３．０
なる条件を満足することを特徴としている。
【手続補正３】
【補正対象書類名】明細書
【補正対象項目名】００２８
【補正方法】変更
【補正の内容】
【００２８】
次に各レンズ群のレンズ構成について説明する。以下、物体側より像側へ順に、第１レンズ群Ｌ１は、物体側が凸面のメニスカス状の負の屈折力の第１１レンズ（負レンズ）と、像側に比べ物体側の面の曲率（１／Ｒ）がきつい（大きい）正の屈折力の第１２レンズ（正レンズ）を有している。ここでＲはレンズ面の曲率半径である。更に接合した接合レンズにて構成されている。ここで曲率がきついとは曲率の絶対値が大きいことをいう。
【手続補正４】
【補正対象書類名】明細書
【補正対象項目名】００３７
【補正方法】変更
【補正の内容】
【００３７】
４．３＜ｍ１／ｆｗ＜６．５      ・・・（１ａ）
９．０＜ｆ１／ｆｗ＜１２．８    ・・・（２ａ）
各実施例において更に好ましくは、次の諸条件を満足するのが良い。望遠端における全系の焦点距離をｆｔ、第４レンズ群Ｌ４の焦点距離をｆ４とする。第４レンズ群Ｌ４は物体側から像側へ順に、正の屈折力の第４１レンズ、負の屈折力の第４２レンズより構成され、第４１レンズの焦点距離をｆ４１とする。広角端と望遠端における第３レンズ群Ｌ３の横倍率を各々β３ｗ、β３ｔとする。このとき、以下の諸条件のうち１以上を満足するのが良い。
【手続補正５】
【補正対象書類名】明細書
【補正対象項目名】００５６
【補正方法】変更
【補正の内容】
【００５６】
非球面データ
第8面
K =-4.13147e-001  A 4= 2.53155e-005  A 6= 1.29927e-007  A 8= 7.39754e-008  A10=-1.70753e-009  
第12面
K =-5.95723e-001  A 4=-1.94729e-004  A 6=-3.00148e-006  
第13面
K = 2.56880e+000  A 4= 4.01510e-004  
第17面
K =-5.47442e+003  A 4= 2.59737e-004  A 6=-2.35217e-005  
各種データ
ズーム比      9.56 
広角     中間     望遠
焦点距離       4.41    16.03    42.16  
Fナンバー      3.25     4.47     6.11  
半画角（度）   37.64    13.59     5.25  
像高           3.40     3.88     3.88  
レンズ全長    44.10    50.45    70.29  
BF             3.92    11.09     6.89  
d 3            0.76    12.23    24.89  
d 9           12.91     1.64     1.15  
d11            4.39     2.81     0.80  
d18            1.26     1.48     3.01  
d21            1.71     2.05    14.39  
d23            2.39     9.55     5.36  
入射瞳位置     9.82    26.95    71.30  
射出瞳位置   -20.08   -24.64  -237.20  
前側主点位置  13.30    32.97   106.00  
後側主点位置  -3.41   -15.02   -41.15  
ズームレンズ群データ
群  始面    焦点距離  レンズ構成長  前側主点位置  後側主点位置
1    1      52.97         3.60        -0.10         -2.18
2    4      -7.30         5.75         0.31         -4.01
3   10       ∞           0.00         0.00         -0.00
4   12       8.36         5.90         0.27         -4.05
5   19     -13.18         1.80         1.00         -0.01
6   22      21.78         2.10         0.05         -1.36
7   24       ∞           0.80         0.26         -0.26
【手続補正６】
【補正対象書類名】明細書
【補正対象項目名】００５８
【補正方法】変更
【補正の内容】
【００５８】
非球面データ
第4面
K = 1.23184e+004  A 4= 1.42396e-005  
第5面
K =-5.42887e-001  A 4= 3.44902e-004  A 6= 1.44581e-005  A 8=-6.11409e-008  A10= 8.53111e-009  
第12面
K =-1.18502e+000  A 4=-3.48462e-004  A 6=-6.72611e-006  
第13面
K = 7.54046e+000  A 4= 4.48566e-004  
第17面
K = 9.21258e+001  A 4=-3.20248e-004  A 6=-3.93029e-005  
各種データ
ズーム比      7.65 
焦点距離       4.41    14.57    33.73     
Fナンバー      3.03     4.47     6.05       
半画角（度）   37.64    14.89     6.55     
像高           3.40     3.88     3.88      
レンズ全長    40.20    42.77    59.52   
BF             3.02     7.42     5.81      
d 3            0.76     9.42    20.84      
d 9           14.61     2.69     1.00     
d18            1.11     2.50     2.41     
d21            2.08     2.12    10.83     
d23            1.47     5.86     4.26     
入射瞳位置     9.60    21.91    57.02    32.54    14.39  
射出瞳位置   -12.65   -18.27   -76.66   -23.33   -15.51  
前側主点位置  12.59    25.47    76.10    34.89    18.51  
後側主点位置  -3.38   -13.54   -32.70   -20.70    -6.84  
ズームレンズ群データ
群  始面    焦点距離  レンズ構成長  前側主点位置  後側主点位置
1    1      47.65         3.50        -0.10         -2.13
2    4      -7.05         5.27         0.05         -4.09
3   10       7.50         6.15         0.76         -3.79
4   19     -11.00         1.50         0.78         -0.03
5   22      19.98         2.20         0.13         -1.36
6   24       ∞           0.80         0.26         -0.26
単レンズデータ
レンズ  始面  焦点距離
1       1    -80.59
2       2     29.60
3       4     -5.90
4       6    -21.77
5       8     15.12
6      12      9.32
7      14     14.93
8      15     -7.40
9      17     12.69
10      19     20.48
11      20     -7.11
12      22     19.98
13      24      0.00
【手続補正７】
【補正対象書類名】明細書
【補正対象項目名】００６０
【補正方法】変更
【補正の内容】
【００６０】
非球面データ
第4面
K =-1.55557e+002  A 4= 5.10113e-005  
第5面
K = 5.85337e-002  A 4=-2.22079e-006  A 6=-1.63063e-005  A 8= 1.01933e-006  A10=-2.81723e-008  
第12面
K =-4.92078e+000  A 4= 7.28672e-004  A 6=-1.10985e-005  
第13面
K =-7.09634e+000  A 4= 3.95904e-004  
第17面
K = 2.35725e+002  A 4= 2.83482e-004  A 6=-3.73972e-005  
各種データ
ズーム比     11.48 
広角     中間     望遠
焦点距離       4.41    17.60    50.59  
Fナンバー      3.73     5.13     6.05  
半画角（度）   37.64    12.41     4.38  
像高           3.40     3.88     3.88  
レンズ全長    46.91    54.31    75.35  
BF             3.91    11.11     5.46  
d 3            0.76    14.00    27.86  
d 9           15.14     3.34     1.00  
d11            3.39     1.20     1.05  
d18            0.62     1.46     2.98  
d21            1.71     1.82    15.61  
d23            2.38     9.58     3.94  
入射瞳位置    10.60    32.87    87.41  
射出瞳位置   -18.26   -22.87  -2427.65  
前側主点位置  14.00    37.49   136.94  
後側主点位置  -3.41   -16.61   -49.59  
ズームレンズ群データ
群  始面    焦点距離  レンズ構成長  前側主点位置  後側主点位置
1    1      55.19         4.00        -0.25         -2.56
2    4      -7.25         5.94         0.49         -3.98
3   10       ∞           0.00         0.00         -0.00
4   12       8.59         6.65         0.69         -4.60
5   19     -12.29         2.50         1.39         -0.05
6   22      21.80         2.30         0.10         -1.45
7   24       ∞           0.80         0.26         -0.26
単レンズデータ
レンズ  始面  焦点距離
1       1    -90.46
2       2     33.89
3       4     -7.31
4       6    -15.10
5       8     14.94
6      12     10.82
7      14     16.35
8      15     -8.53
9      17     14.03
10      19      8.77
11      20     -5.06
12      22     21.80
13      24      0.00
【手続補正８】
【補正対象書類名】明細書
【補正対象項目名】００６２
【補正方法】変更
【補正の内容】
【００６２】
非球面データ
第4面
K = 2.04555e+000  A 4=-5.59435e-005  A 6= 2.90922e-007  
第12面
K =-3.61118e+000  A 4=-1.24148e-004  A 6=-4.49259e-006  
第13面
K =-2.29546e+000  A 4=-1.14347e-004  
第17面
K =-5.26126e+000  A 4= 5.36639e-004  
各種データ
ズーム比     11.48 
広角     中間     望遠
焦点距離       4.41    13.25    50.59  
Fナンバー      3.50     4.58     6.05  
半画角（度）   37.64    16.30     4.38  
像高           3.40     3.88     3.88  
レンズ全長    48.45    51.49    74.98  
BF             3.89     8.52     7.55  
d 3            0.76    10.87    27.75  
d 9           16.70     5.25     1.00  
d11            3.39     1.73     0.85  
d18            0.80     2.09     5.61  
d21            1.70     1.83    11.02  
d23            2.38     7.01     6.05  
入射瞳位置    10.95    26.65    86.22  
射出瞳位置   -18.59   -22.22  -401.88  
前側主点位置  14.37    32.33   130.46  
後側主点位置  -3.43   -12.28   -49.61  
ズームレンズ群データ
群  始面    焦点距離  レンズ構成長  前側主点位置  後側主点位置
1    1      56.10         3.90        -0.47         -2.63
2    4      -7.44         6.25         0.61         -4.22
3   10       ∞           0.00         0.00         -0.00
4   12       9.16         6.65        -0.65         -5.15
5   19     -13.90         2.30         1.48          0.13
6   22      18.69         2.10         0.39         -1.05
7   24       ∞           0.80         0.26         -0.26
単レンズデータ
レンズ  始面  焦点距離
1       1    -83.56
2       2     33.14
3       4     -8.12
4       6    -12.33
5       8     13.95
6      12      9.70
7      14     15.50
8      15     -7.66
9      17     25.33
10      19      6.77
11      20     -4.44
12      22     18.69
13      24      0.00